(57)【要約】【課題】流動物に汚染される虞れがないよう袋に触れることなく袋と流動物を分離する袋分離装置を提供する。【解決手段】複数の細孔を備えたチャンバ２４と、チャンバ２４に投入された袋と流動物の混成物を押圧して流動物を細孔から排出すると共に袋をチャンバ２４内で圧縮する回転押圧手段２７，２９とを備える。これにより、作業者は袋に触れることなく袋と流動物を分離し、分離の作業時での流動物による汚染を完全に防止して作業処理の衛生面及び能率面を向上させることができる。又、回転押圧手段２７，２９は袋を圧縮して水分を絞るので、袋から水分を除去することができる。【選択図】　　　　図１
2004026226.tif 000002
【特許請求の範囲】
【請求項１】
複数の細孔を備えたチャンバと、該チャンバに投入された袋と流動物の混成物を押圧して流動物を細孔から排出すると共に袋をチャンバ内で圧縮する回転押圧手段とを備えたことを特徴とする袋分離装置。
【請求項２】
袋と流動物の混成物をチャンバに投入するよう、流動物を内封した袋を切断して開封する開封手段を備えた請求項１記載の袋分離装置。
【請求項３】
圧縮された袋を排出し得るようチャンバを開放する開閉部を備えた請求項１又は２記載の袋分離装置。
【請求項４】
回転押圧手段は、チャンバ内を回転して前進する回転体と、袋を巻き付けるよう回転体の回転に伴って回転する攪拌ロッドを備え、前記回転体は、攪拌ロッドと別に前進し得ることにより攪拌ロッドに巻き付いた袋を押し出すよう構成された請求項１、２又３記載の袋分離装置。
【請求項５】
回転体を前進させる伝達部材にバネ手段を備え、前記回転体が袋を圧縮した際にバネ手段により袋を余勢するよう構成した請求項１、２、３又は４記載の袋分離装置。
【発明の詳細な説明】
【０００１】
【発明の属する技術分野】
本発明は、袋と流動物の混成物を分離する袋分離装置に関するものである。
【０００２】
【従来の技術】
一般に飛行機の中には汚物等を溜め得るよう袋をセットするトイレがあり、飛行機が所定場所に到着した際には、汚物等の入った袋を取り出して袋の口を密閉し、廃棄処理の場所に袋を搬送して開封することにより、汚物等を処理用のマンホール等に廃棄している。
【０００３】
【発明が解決しようとする課題】
しかしながら、汚物等の流動物を袋から廃棄する作業は、汚物等の流動物により作業者が汚染される虞れがあるため、作業者に嫌われているという問題があり、衛生的、能率的見地からも改善の余地があった。
【０００４】
本発明は、流動物に汚染される虞れがないよう袋に触れることなく袋と流動物を分離する袋分離装置を提供することを目的とするものである。
【０００５】
【課題を解決するための手段】
本発明の袋分離装置は、複数の細孔を備えたチャンバと、該チャンバに投入された袋と流動物の混成物を押圧して流動物を細孔から排出すると共に袋をチャンバ内で圧縮する回転押圧手段とを備えたものである。
【０００６】
又、本発明の袋分離装置は、袋と流動物の混成物をチャンバに投入するよう、流動物を内封した袋を切断して開封する開封手段を備えたものである。
【０００７】
更に、本発明の袋分離装置は、圧縮された袋を排出し得るようチャンバを開放する開閉部を備えたものである。
【０００８】
本発明の袋分離装置において、回転押圧手段は、チャンバ内を回転して前進する回転体と、袋を巻き付けるよう回転体の回転に伴って回転する攪拌ロッドを備え、前記回転体は、攪拌ロッドと別に前進し得ることにより攪拌ロッドに巻き付いた袋を押し出すよう構成されてもよい。
【０００９】
又、本発明の袋分離装置は、回転体を前進させる伝達部材にバネ手段を備え、前記回転体が袋を圧縮した際にバネ手段により袋を余勢するよう構成してもよい。
【００１０】
袋から流動物を分離する際には、袋と流動物の混成物をチャンバに投入し、回転押圧手段で混成物を押圧することにより、流動物をチャンバの細孔から排出すると共に袋をチャンバ内で圧縮して水分を排出し、袋と流動物を分離する。ここで、袋と流動物の混成物をチャンバに投入する際には、流動物を内封した袋を開封手段により切断して開封し、袋と流動物を混成物としてチャンバに投入することが好ましい。又、圧縮した袋をチャンバより取り出す際には、開閉部を開けてチャンバを開放し、圧縮された袋を自重で落下させて取り出すことが好ましい。
【００１１】
このように、袋と流動物の混成物を回転押圧手段で押圧することにより流動物を細孔から排出すると共に袋をチャンバ内で圧縮するので、作業者は袋に触れることなく袋と流動物を分離し、分離の作業時での流動物による汚染を完全に防止して作業処理の衛生面及び能率面を向上させることができる。又、回転押圧手段は袋を圧縮して水分を絞るので、袋から水分を除去することができる。
【００１２】
袋と流動物の混成物をチャンバに投入するよう、流動物を内封した袋を切断して開封する開封手段を備えると、流動物を袋に内封した状態から処理し得るので、作業者は袋に触れることなく袋を開封し、開封時での流動物による汚染を完全に防止することができる。
【００１３】
圧縮された袋を排出し得るようチャンバを開放する開閉部を備えると、流動物及び水分を分離した袋を排出し得るので、作業者は袋に触れることなく袋をチャンバより排出し、排出時での流動物による汚染を完全に防止することができる。
【００１４】
回転押圧手段は、チャンバ内を回転して前進する回転体と、袋を巻き付けるよう回転体の回転に伴って回転する攪拌ロッドを備え、前記回転体は、攪拌ロッドと別に前進し得ることにより攪拌ロッドに巻き付いた袋を押し出すよう構成されると、攪拌ロッドにより袋と流動物の混成物を攪拌すると共に袋を巻き取るので、袋と流動物を確実に分離することができる。又、回転体は、攪拌ロッドと別に前進し得るので、攪拌ロッドに巻き付いた袋を押し出し、袋をチャンバより容易に排出することができる。
【００１５】
回転体を前進させる伝達部材にバネ手段を備え、前記回転体が袋を圧縮した際にバネ手段により袋を余勢するよう構成すると、回転体の前進と合わせて袋を余勢するので、袋から水分を完全に絞ることができる。又、袋をチャンバより排出する際には袋を排出方向に余勢するので、袋をチャンバより一層容易に排出することができる。
【００１６】
【発明の実施の形態】
以下、本発明の実施の形態を図示例と共に説明する。
【００１７】
図１〜図１３は、本発明を実施する形態例を示す袋分離装置である。
【００１８】
袋分離装置１は、汚物等の流動物を内封した袋を投入し得る投入部２と、投入部２の下部に配置される分離部３と、分離部３を駆動させる駆動部４と、分離部３の一方に配置される開閉部５とを備えて、移動可能な台車６に搭載されている。以下、各部を詳細に説明する。
【００１９】
汚物等の流動物を内封した袋を投入し得る投入部２は、下方に向かう斜面を形成する上部ホッパ７と、上部ホッパ７の下端に配置される開封室８と、開封室８の下端に配置され且つ一側面に内部確認窓９を設けた下部ホッパ１０とを備えている。上部ホッパ７は蝶番１１を介して開閉する蓋板１２を上端に設け、上部ホッパ７の両側面にはホース（図示せず）を介して水を導入する給水口１３を備えている。ここで、図中、１４は蓋板１２を密閉させる挟み部材、１５は取っ手を示している。又、開封室８は、内部に開封手段の一対の回転カッター１６を備え、回転カッター１６は外部に設置された駆動モータ１７より一方の回転カッター１６を回転させると共に他端に設けられたギア１８を介して他方の回転カッター１６を同期して回転させている。なお、開封手段の回転カッター１６は、回転軸１９に複数枚の環状刃２０（図は一つの回転軸に三枚もしくは四枚）を所定の間隔で備えるものであるが、異なる刃を用いたものや他の構成のものでもよい。
【００２０】
投入部２の下部には、台車６の支持フレーム２１を介して支持されるよう分離側外周面２２を備えた分離部３を設け、分離部３の分離側外周面２２の内部には、下部ホッパ１０の下端に接続されるよう落下口２３を介して配置される円筒状のチャンバ２４を備え、チャンバ２４の円筒周囲面には所定径の細孔（図示せず）を無数に穿設し、チャンバ２４の一方側面には駆動部４から隔てるよう隔壁２５を配置し、他側面には開閉部５から隔てるよう開閉部５の開閉板２６を配置している。又、チャンバ２４内には、チャンバ２４の内部空間を仕切るよう移動可能な円盤状の回転体２７（回転押圧手段）を備え、回転体２７の所定位置には複数の貫通孔２８（図では二個）を穿設している。更に、チャンバ２４内には、回転体２７を貫通するよう貫通孔２８に挿入される複数本（図では二本）の攪拌ロッド２９（回転押圧手段）を備え、攪拌ロッド２９の駆動部側端部には、溝を形成したコマ部材３０を取り付けている。更に又、チャンバ２４内には、回転体２７と隔壁２５の間に位置して攪拌ロッド２９を支持するロッド台座体３１を備え、ロッド台座体３１の回転体側表面３２には、攪拌ロッド２９を回転体２７と共に周回させるよう攪拌ロッド２９のコマ部材３０をスライド可能に支持する環状溝３３を形成している。
【００２１】
分離部３の側方には、駆動部４の支持部材を形成するよう、台車６の支持フレーム２１の端部に立設してチャンバ２４の隔壁２５と向かい合う側壁３４を備え、側壁３４の上部両側には、チャンバ２４の隔壁２５と側壁３４の間に延在する二本の案内シャフト３５を配置し、側壁３４の最上部中央には回転駆動モータ３６を設置し、側壁３４の最下部中央には前後進用の駆動モータ３７を設置し、側壁３４の下部中央には、チャンバ２４の隔壁２５と側壁３４の間に延在し且つ前後進用の駆動モータ３７によりベルト３８を介して軸転するネジシャフト３９を支持している。又、チャンバ２４の隔壁２５と側壁３４の間には、回転体２７及び攪拌ロッド２９を回転させる伝達部材４０を構成している。ここで、図１中、４１は駆動部４を覆う駆動側外周壁である。
【００２２】
伝達部材４０は、回転体２７に接続されて隔壁２５を貫通するよう延在し且つ内部に軸方向へ沿うスプライン溝４２を形成した外側シャフト４３と、外側シャフト４３の内部に挿入し得るよう、外側シャフト４３のスプライン溝４２に噛合するスプライン４４を形成して延在し且つ側壁３４の中央に配置される内側シャフト４５とを備え、内側シャフト４５には回転駆動モータ３６をベルト４６を介して接続し、回転駆動モータ３６の駆動により内側シャフト４５を軸転させてスプライン４４及びスプライン溝４２を介し外側シャフト４３及び回転体２７を回転させるようにしている。ここで、チャンバ２４の隔壁２５において外側シャフト４３が貫通する部分には、Ｏリング等のシール材４７を配置して密閉するブッシュ４８を接続している。
【００２３】
又、伝達部材４０は、外側シャフト４３をベアリング４９を介して軸転可能に支持するよう案内シャフト３５にスライド可能に配置される第一支持プレート５０と、第一支持プレート５０と側壁３４の間に位置するよう案内シャフト３５にスライド可能に配置されると共にコイルバネ等のバネ手段５１により第一支持プレート５０に接続されるＴ字状の第二支持プレート５２とを備え、第二支持プレート５２の下部中央には、ネジシャフト３９のネジ溝５３に追従するガイド孔５４を穿設し、第二支持プレート５２の下部側端には、リミットスイッチ等のセンサ５５を所定位置で反応させるようセンサ保持ブラケット５６の溝５７を移動する突起部材５８を備え、第二支持プレート５２の上部中央には貫通孔５９を介して内側シャフト４５を軸転可能に配置している。ここで、第一支持プレート５０と第二支持プレート５２を接続するバネ手段５１のコイルバネは、案内シャフト３５の外周に配置され、ネジシャフト３９の軸転に伴う第二支持プレート５２の移動により第一支持プレート５０及び外側シャフト４３を介して回転体２７を余勢するようにしている。
【００２４】
更に、伝達部材４０は、ロッド台座体３１に接続され且つ隔壁２５及び第一支持プレート５０の上部両側を貫通する二本のサイドシャフト６０を備え、サイドシャフト６０の中途位置には移動範囲を規制するストッパ６１を設け、サイドシャフト６０の側壁側の端部には、第一支持プレート５０の側壁側表面に磁性を介して着脱し且つ外側シャフト４３等の部材に干渉しないよう屈曲して形成されるフレーム部材６２を備えており、フレーム部材６２は、第一支持プレート５０に磁性を介して着接することにより第二支持プレート５２及びバネ手段５１の移動に伴って、サイドシャフト６０、ロッド台座体３１及び攪拌ロッド２９が所定範囲で移動するように構成されている。ここで、チャンバ２４の隔壁２５においてサイドシャフト６０が貫通する部分には、Ｏリング等のシール材６３を配置して密閉するカラー等の隣接部材６４を接続している。
【００２５】
分離部３の他の側方には、チャンバ２４への開閉板２６を配置する開閉部５を備えており、開閉部５は、開閉板２６を所定の内部空間に配置するよう開閉側外周壁６５を設け、開閉側外周壁６５の外部には、チャンバ２４を開放及び密閉するよう連結軸６６を介して開閉板２６を移動させるハンドル６７を備え、開閉側外周壁６５の下部には、ゴミ袋６８を接続可能とする排出口６９を形成している。
【００２６】
分離部３の下部には、分離側外周面２２の下面より延在する排出管７０を備えており、排出管７０の中途部には、流路を開閉する排水バルブ７１を設け、排出管７０の下部には排出ホース７２を着脱可能にしている。ここで、図１中、７３は台車６を移動させる車輪であり、７４は汚物処理用のマンホールである。なお、汚物処理時にはマンホール７４を使用するが、流動物の種類によっては排水溝等の他の廃棄口を使用してもよい。
【００２７】
以下、本発明を実施する形態例の作用を説明する。
【００２８】
袋分離装置１を使用する際には、準備段階として、台車６を所定位置に移動して排出ホース７２を汚物処理用のマンホール７４に入れ、外部電源（図示せず）に接続すると共に、給水口１３にホース（図示せず）を介して水道水の蛇口（図示せず）を接続し、更に開閉部５の排出口６９にゴミ袋６８を接続する。なお、準備段階では排水バルブ７１を開放することが好ましい。ここで、回転体２７はチャンバ２４内の駆動側端部の位置にて待機し、且つ攪拌ロッド２９は、フレーム部材６２が第一支持プレート５０に磁性を介して着接することにより、回転体２７より最大限突出するよう配置されている。
【００２９】
次に、汚物等の流動物を内封した袋の開封段階として、上部ホッパ７の蓋板１２を開放し、汚物等の流動物を内封した袋を投入して蓋板１２を閉止し、駆動モータ１７の駆動により回転カッター１６を回転させて剪断開封する。ここで、袋を投入する前には、予め給水口１３より水道水の供給を開始すると共に排水バルブ７１を閉止することにより、剪断開封された袋及び流動物の混成物を、直ちに下部ホッパ１０を介してチャンバ２４内へ流し込むようにしており、剪断開封された袋及び流動物の混成物を流し込んだ後には、下部ホッパ１０の内部確認窓９により水量を確認し、水を分離側外周面２２の内部空間、チャンバ２４、下部ポッパの所定位置まで溜めた時点で水道水の供給を停止する。なお、回転カッター１６は、袋を完全に開封して水量を確認した後に駆動を停止させることが好ましい。
【００３０】
続いて、剪断開封された袋及び流動物の混成物を攪拌分離する攪拌分離段階として、回転駆動モータ３６の駆動により内側シャフト４５及び外側シャフト４３を介して回転体２７を回転させ、同時に回転体２７の回転に伴って攪拌ロッド２９を周回させることにより、チャンバ２４内で剪断開封した袋及び流動物の混成物を攪拌する。ここで、回転体２７の回転は、切換えタイマ（図示せず）を備えることにより正転から逆転へ、逆転から正転へ適宜変更するようにしてもよい。
又、攪拌時間タイマ（図示せず）を備えることにより回転体２７を一定時間回転させるようにしてもよい。
【００３１】
攪拌分離段階では、同時に、排水バルブ７１を開放することにより、流動物をチャンバ２４から分離側外周面２２の内部空間、排出管７０、排出ホース７２を介して汚物処理用のマンホール７４に排出し、剪断開封された袋より分離する。ここで、流動物をチャンバ２４から排出する際には、流動物がチャンバ２４の細孔を通過する一方、裁断開封された袋は通過することができないので、裁断開封された袋はチャンバ２４内に残留する。なお、水道水を適宜供給してチャンバ２４内を洗浄し、袋と汚物の分離を促進するようにしてもよい。
【００３２】
次に、剪断開封された袋から流動物の混成物を分離する最終分離段階として、排水バルブ７１を閉止すると共に給水口１３から水道水の供給を再度開始することにより、下部ホッパ１０の内部確認窓９で水量を確認して、水を分離側外周面２２の内部空間、チャンバ２４、下部ポッパ１０の所定位置まで溜め、溜めた水により剪断開封した袋を浮遊させて巻き取りを容易な状態にし、回転体２７及び攪拌ロッド２９を回転させると同時にチャンバ２４内を圧縮するよう前進させ、剪断開封した袋を巻き取る。ここで、回転体２７の前進は、前後進用の駆動モータ３７の駆動によりネジシャフト３９、第二支持プレート５２、バネ手段５１、第一支持プレート５０、外側シャフト４３を介して行われ、攪拌ロッド２９の前進は、第一支持プレート５０の移動により、フレーム部材６２、サイドシャフト６０、ロッド台座体３１を介して行われており、回転体２７及び攪拌ロッド２９の回転は、攪拌段階と略同様に、回転駆動モータ３６の駆動により内側シャフト４５及び外側シャフト４３を介して行われている。
【００３３】
一方、最終分離段階は、図１２に示す如く、攪拌ロッド２９が剪断開封された袋を巻き取って開閉板２６の近傍に到達した時点で攪拌ロッド２９の前進を停止し、続いて、図１３に示す如く、回転体２７のみが前進して攪拌ロッド２９に巻き付いた袋を剥ぎ取るよう押し出し、流動物をチャンバ２４の細孔から分離側外周面２２の内部空間へ排出すると共に、剪断開封された袋をチャンバ２４の開閉板２６側で圧縮する。ここで、攪拌ロッド２９による前進の停止動作は、図１、１２、１３に示す如く、サイドシャフト６０のストッパ６１が隔壁２５の隣接部材６４に掛止することにより、牽引する第一支持プレート５０から、磁性で着接していたフレーム部材６２が外れ、攪拌ロッド２９の前進を停止させるようになっており、回転体２７は、フレーム部材６２が外れても、前後進用の駆動モータ３７の駆動によりネジシャフト３９、第二支持プレート５２、バネ手段５１、第一支持プレート５０、外側シャフト４３を介して前進する。又、回転体２７は、第二支持プレート５２の突起部材５８が所定位置でセンサ保持ブラケット５６の停止センサを作動させることにより、チャンバ２４の開閉板２６近傍で停止する。
【００３４】
続いて、剪断開封された袋をチャンバ２４の開閉板２６側で圧縮した際には、排水バルブ７１を開放して流動物を再度排出し、剪断開封された袋から流動物を完全に分離する。ここで、回転移動を停止している回転体２７はバネ手段５１を介して袋を圧縮する方向に余勢し、流動物の排出時に水分等を再吸収することを防止している。
【００３５】
流動物を排出して袋と流動物を分離した後には、袋排出段階として、開閉部５のハンドル６７を操作することにより開閉板２６を開放し、且つ回転体２７を前進させることにより袋をチャンバ２４から押し出し、袋を自重により落下させて排出口６９を介しゴミ袋６８へ排出する、なお、裁断開封された袋がゴミ袋６８に溜まった際には適宜ゴミ袋６８ごと廃棄する。
【００３６】
以上の処理が終了した後には、開閉板２６を閉じると共に、回転体２７及び攪拌ロッド２９を待機位置に戻し、適宜、水道水を供給して内部を洗浄し、次回に使用し得る状態にして処理を終了する。
【００３７】
このように、袋と流動物の混成物を回転押圧手段の回転体２７及び攪拌ロッド２９で押圧することにより、流動物を細孔から排出すると共に袋をチャンバ２４内で圧縮するので、作業者は袋に触れることなく袋と流動物を分離し、分離の作業時での流動物による汚染を完全に防止して作業処理の衛生面及び能率面を向上させることができる。又、回転押圧手段の回転体２７は袋を圧縮して水分を絞るので、袋から水分を除去することができる。
【００３８】
袋と流動物の混成物をチャンバ２４に投入するよう、流動物を内封した袋を切断して開封する開封手段の回転カッター１６を備えると、流動物を袋に内封した状態から処理し得るので、作業者は袋に触れることなく袋を開封し、開封時での流動物による汚染を完全に防止することができる。
【００３９】
圧縮された袋を排出し得るようチャンバ２４を開放する開閉部５を備えると、流動物及び水分を分離した袋を排出し得るので、作業者は袋に触れることなく袋をチャンバ２４より排出し、排出時での流動物による汚染を完全に防止することができる。
【００４０】
回転押圧手段は、チャンバ２４内を回転して前進する回転体２７と、袋を巻き付けるよう回転体２７の回転に伴って回転する攪拌ロッド２９を備え、前記回転体２７は、攪拌ロッド２９と別に前進し得ることにより攪拌ロッド２９に巻き付いた袋を押し出すよう構成されると、攪拌ロッド２９により袋と流動物の混成物を攪拌すると共に袋を巻き取るので、袋と流動物を確実に分離することができる。又、回転体２７は、攪拌ロッド２９と別に前進し得るので、攪拌ロッド２９に巻き付いた袋を押し出し、袋をチャンバ２４より容易に排出することができる。
【００４１】
回転体２７を前進させる伝達部材４０にバネ手段５１を備え、前記回転体２７が袋を圧縮した際にバネ手段５１により袋を余勢するよう構成すると、回転体２７の前進と合わせて袋を余勢するので、袋から水分を完全に絞ることができる。
又、袋をチャンバ２４より排出する際には袋を排出方向に余勢するので、袋をチャンバ２４より一層容易に排出することができる。
【００４２】
尚、本発明の袋分離装置は、上述の実施例にのみ限定されるものではなく、袋と流動物を分離し且つ袋を圧縮し得るならば他の構成でもよいこと、袋に対する流動物は、豆腐等の流動物にし得るものならばどのようなものでもよいこと、流動物は汚物等の水分を含むものでなく、粒状で流動性を有するものならば他のものでもよいこと、センサ保持ブラケットに種々のセンサを備えると共にコンピュータ等の制御手段を備えて駆動部の駆動を制御してよいこと、駆動モータ等を自動制御もしくは手動制御にしてもよいこと、その他、本発明の要旨を逸脱しない範囲内において種々変更を加え得ることは勿論である。
【００４３】
【発明の効果】
本発明の袋分離装置によれば、下記の如き種々の優れた効果を奏し得る。
【００４４】
Ｉ）袋と流動物の混成物を回転押圧手段で押圧することにより流動物を細孔から排出すると共に袋をチャンバ内で圧縮するので、作業者は袋に触れることなく袋と流動物を分離し、分離の作業時での流動物による汚染を完全に防止して作業処理の衛生面及び能率面を向上させることができる。又、回転押圧手段は袋を圧縮して水分を絞るので、袋から水分を除去することができる。
【００４５】
ＩＩ）袋と流動物の混成物をチャンバに投入するよう、流動物を内封した袋を切断して開封する開封手段を備えると、流動物を袋に内封した状態から処理し得るので、作業者は袋に触れることなく袋を開封し、開封時での流動物による汚染を完全に防止することができる。
【００４６】
ＩＩＩ）圧縮された袋を排出し得るようチャンバを開放する開閉部を備えると、流動物及び水分を分離した袋を排出し得るので、作業者は袋に触れることなく袋をチャンバより排出し、排出時での流動物による汚染を完全に防止することができる。
【００４７】
ＩＶ）回転押圧手段は、チャンバ内を回転して前進する回転体と、袋を巻き付けるよう回転体の回転に伴って回転する攪拌ロッドを備え、前記回転体は、攪拌ロッドと別に前進し得ることにより攪拌ロッドに巻き付いた袋を押し出すよう構成されると、攪拌ロッドにより袋と流動物の混成物を攪拌すると共に袋を巻き取るので、袋と流動物を確実に分離することができる。又、回転体は、攪拌ロッドと別に前進し得るので、攪拌ロッドに巻き付いた袋を押し出し、袋をチャンバより容易に排出することができる。
【００４８】
Ｖ）回転体を前進させる伝達部材にバネ手段を備え、前記回転体が袋を圧縮した際にバネ手段により袋を余勢するよう構成すると、回転体の前進と合わせて袋を余勢するので、袋から水分を完全に絞ることができる。又、袋をチャンバより排出する際には袋を排出方向に余勢するので、袋をチャンバより一層容易に排出することができる。
【図面の簡単な説明】
【図１】本発明の袋分離装置を実施する形態例を示す断面図である。
【図２】図１のＩＩ−ＩＩ方向矢視図である。
【図３】図１のＩＩＩ−ＩＩＩ方向矢視図である。
【図４】図１のＩＶ−ＩＶ方向矢視図である。
【図５】図１のＶ−Ｖ方向矢視図である。
【図６】図１のＶＩ−ＶＩ方向矢視図である。
【図７】図４のＶＩＩ−ＶＩＩ方向矢視図である。
【図８】図４のＶＩＩＩ−ＶＩＩＩ方向矢視図である。
【図９】図４のＩＸ−ＩＸ方向矢視図である。
【図１０】図４のＸ−Ｘ方向矢視図である。
【図１１】図４のＸＩ−ＸＩ方向矢視図である。
【図１２】袋を圧縮する途中の状態を示す水平断面である。
【図１３】袋を圧縮した状態を示す水平断面である。
【符号の説明】
５　　開閉部
１６　　回転カッター（開封手段）
２４　　チャンバ
２７　　回転体（回転押圧手段）
２９　　攪拌ロッド（回転押圧手段）
４０　　伝達部材
５１　　バネ手段
【図１】
2004026226.tif 000003
【図２】
2004026226.tif 000004
【図３】
2004026226.tif 000005
【図４】
2004026226.tif 000006
【図５】
2004026226.tif 000007
【図６】
2004026226.tif 000008
【図７】
2004026226.tif 000009
【図８】
2004026226.tif 000010
【図９】
2004026226.tif 000011
【図１０】
2004026226.tif 000012
【図１１】
2004026226.tif 000013
【図１２】
2004026226.tif 000014
【図１３】
2004026226.tif 000015